(57)【特許請求の範囲】
【請求項１】
枠状に形成され、一側上下部にヒンジが設けられた外枠と、
その外枠の前記ヒンジに対応して一側上下部にヒンジが設けられ、それらヒンジにより前記外枠の前面に開閉可能な状態で取り付けられた合成樹脂製の前枠と、
その前枠に取り付けられると共に入賞装置や障害釘が設けられる遊技領域が前面に形成された遊技板と、
その遊技板の遊技領域を視認可能に開口形成された合成樹脂製の樹脂枠と、
その樹脂枠の裏面に設けられる金属板とを重ねた二重構造を有して前記前枠の前面に開閉可能なように取り付けた扉枠と、
その扉枠に支えられるものであって前記樹脂枠と同系色の合成樹脂製のフレームにより二枚のガラスを一体化したガラスユニットとを備え、
前記前枠の非ヒンジ側の側端面に、前記外枠に向かって内寄りに傾く勾配のテーパ面を有し、前側に突出する板状の補強リブを設けると共に、その補強リブの内側に向けて突出する突出片を設け、
前記樹脂枠の端部には、前記補強リブの内側に並ぶ側片を突設し、
その樹脂枠の側片の内側に前記金属板を配置し、
その金属板の内側に前記ガラスユニットを支えるガラスホルダーを設け、
そのガラスホルダーによって前記ガラスユニットが固定された前記扉枠が前記前枠に対して閉じられた状態において、前記補強リブの内側に前記樹脂枠の側片が並び、さらにその内側に前記金属板が位置する配置とし、
前記扉枠は、前記金属板が前記樹脂枠の側片に当接すると共に、前記扉枠が前記前枠に対して閉じられた状態において、前記樹脂枠の側片が前記前枠の突出片に当接することを特徴とする遊技機。
【発明の詳細な説明】
【技術分野】
【０００１】
本発明は、パチンコ機などの遊技機に関する。
【背景技術】
【０００２】
従来、パチンコ機の前枠は木製が主流であったが、近年それが合成樹脂化されつつある。
【発明の概要】
【発明が解決しようとする課題】
【０００３】
パチンコ機は、台間球貸機などと一緒にパチンコ機設置島に多数並設されるのが普通であり、設置状態において隣接するパチンコ機又は台間球貸機との隙間が殆どない。通常、パチンコ機の前枠は、外枠の一側前面にヒンジ金具で開閉可能な状態で取り付けられているため、前枠を開閉したときに隣接するパチンコ機又は台間球貸機の縁と該前枠の縁（主として後縁のコーナー部分）が接触するおそれがある。そして、そのような接触による衝撃をまともに受けた場合、前枠が合成樹脂製であると縁の一部が欠けたり割れたりする不具合があった。
本発明は上記例示した問題点などに鑑みなされたもので、その目的は、合成樹脂製の前枠の剛性を向上させることができる遊技機を提供することにある。
【課題を解決するための手段】
【０００４】
上記の目的を達成するため請求項１記載の遊技機は、枠状に形成され、一側上下部にヒンジが設けられた外枠と、その外枠の前記ヒンジに対応して一側上下部にヒンジが設けられ、それらヒンジにより前記外枠の前面に開閉可能な状態で取り付けられた合成樹脂製の前枠と、その前枠に取り付けられると共に入賞装置や障害釘が設けられる遊技領域が前面に形成された遊技板と、その遊技板の遊技領域を視認可能に開口形成された合成樹脂製の樹脂枠と、その樹脂枠の裏面に設けられる金属板とを重ねた二重構造を有して前記前枠の前面に開閉可能なように取り付けた扉枠と、その扉枠に支えられるものであって前記樹脂枠と同系色の合成樹脂製のフレームにより二枚のガラスを一体化したガラスユニットとを備え、前記前枠の非ヒンジ側の側端面に、前記外枠に向かって内寄りに傾く勾配のテーパ面を有し、前側に突出する板状の補強リブを設けると共に、その補強リブの内側に向けて突出する突出片を設け、前記樹脂枠の端部には、前記補強リブの内側に並ぶ側片を突設し、その樹脂枠の側片の内側に前記金属板を配置し、その金属板の内側に前記ガラスユニットを支えるガラスホルダーを設け、そのガラスホルダーによって前記ガラスユニットが固定された前記扉枠が前記前枠に対して閉じられた状態において、前記補強リブの内側に前記樹脂枠の側片が並び、さらにその内側に前記金属板が位置する配置とし、前記扉枠は、前記金属板が前記樹脂枠の側片に当接すると共に、前記扉枠が前記前枠に対して閉じられた状態において、前記樹脂枠の側片が前記前枠の突出片に当接する。
【発明の効果】
【０００５】
請求項１記載の遊技機によれば、枠状に形成され、一側上下部にヒンジが設けられた外枠と、その外枠のヒンジに対応して一側上下部にヒンジが設けられ、それらヒンジにより外枠の前面に開閉可能な状態で取り付けられた合成樹脂製の前枠と、その前枠に取り付けられると共に入賞装置や障害釘が設けられる遊技領域が前面に形成された遊技板と、その遊技板の遊技領域を視認可能に開口形成された合成樹脂製の樹脂枠と、その樹脂枠の裏面に設けられる金属板とを重ねた二重構造を有して前枠の前面に開閉可能なように取り付けた扉枠と、その扉枠に支えられるものであって樹脂枠と同系色の合成樹脂製のフレームにより二枚のガラスを一体化したガラスユニットとを備え、前枠の非ヒンジ側の側端面に、外枠に向かって内寄りに傾く勾配のテーパ面を有し、前側に突出する板状の補強リブを設けると共に、樹脂枠の端部には、補強リブの内側に並ぶ側片を突設し、その樹脂枠の側片の内側に金属板を配置し、その金属板の内側にガラスユニットを支えるガラスホルダーを設け、そのガラスホルダーによってガラスユニットが固定された扉枠が前枠に対して閉じられた状態において、補強リブの内側に樹脂枠の側片が並び、さらにその内側に金属板が位置する配置としたので、合成樹脂製の前枠の剛性を向上させることができるという効果がある。
【図面の簡単な説明】
【０００６】
【図１】パチンコ機の正面図である。
【図２】パチンコ機の裏面図である。
【図３】前枠の前面斜視図である。
【図４】前枠の背面斜視図である。
【図５】前枠の下部遊技板を示す斜視図である。
【図６】樋カバーを外して示す下部遊技板の斜視図である。
【図７】操作ハンドル部分を示す分解斜視図である。
【図８】発射装置部分を示すパチンコ機の部分断面図である。
【図９】前面板部分を示すパチンコ機の部分断面図である。
【図１０】下部遊技板部分を示すパチンコ機の部分断面図である。
【図１１】非ヒンジ側の前側コーナー部分を示すパチンコ機の部分断面図である。
【図１２】球タンクを示す機構板の断面図である。
【図１３】球タンクを示す機構板の部分斜視図である。
【図１４】球タンクを示す機構板の部分斜視図である。
【図１５】機構板の上部を示す裏面図である。
【図１６】球タンク部分を示すパチンコ機の部分断面図である。
【図１７】カーブ樋ユニットの透視斜視図である。
【図１８】カーブ樋ユニットを示す断面図である。
【図１９】球抜き装置を示すパチンコ機の部分断面図である。
【図２０】図１８のＡ−Ａ線断面図である。
【図２１】図１９のＢ−Ｂ線断面図である。
【図２２】球抜き装置を示すカーブ樋ユニットの断面図である。
【図２３】図２２のＺ矢示図である。
【図２４】景品球排出樋の終端部分を示す断面図である。
【図２５】入賞球処理装置を示す断面図である。
【図２６】図２５のＣ−Ｃ線断面図である。
【図２７】機構板の下部を示す裏面図である。
【図２８】アウト球口部分を示すパチンコ機の部分断面図である。
【図２９】通路側板を示す斜視図である。
【発明を実施するための形態】
【０００７】
以下に本発明の実施の形態を図面を参照しつつ説明する。なお、図１はパチンコ機の正面図、図２はパチンコ機の裏面図、図３は前枠の前面斜視図、図４は前枠の背面斜視図、図５は前枠の下部遊技板を示す斜視図、図６は樋カバーを外して示す下部遊技板の斜視図、図７は操作ハンドル部分を示す分解斜視図、図８は発射装置部分を示すパチンコ機の部分断面図、図９は前面板部分を示すパチンコ機の部分断面図、図１０は下部遊技板部分を示すパチンコ機の部分断面図、図１１は非ヒンジ側の前側コーナー部分を示すパチンコ機の部分断面図、図１２は球タンクを示す機構板の断面図、図１３は球タンクを示す機構板の部分斜視図、図１４は球タンクを示す機構板の部分斜視図、図１５は機構板の上部を示す裏面図、図１６は球タンク部分を示すパチンコ機の部分断面図、図１７はカーブ樋ユニットの透視斜視図、図１８はカーブ樋ユニットを示す断面図、図１９は球抜き装置を示すパチンコ機の部分断面図、図２０は図１８のＡ−Ａ線断面図、図２１は図１９のＢ−Ｂ線断面図、図２２は球抜き装置を示すカーブ樋ユニットの断面図、図２３は図２２のＺ矢示図、図２４は景品球排出樋の終端部分を示す断面図、図２５は入賞球処理装置を示す断面図、図２６は図２５のＣ−Ｃ線断面図、図２７は機構板の下部を示す裏面図、図２８はアウト球口部分を示すパチンコ機の部分断面図、図２９は通路側板を示す斜視図である。
【０００８】
パチンコ機は、外枠１、前枠２、遊技板３、機構板４の四部品により概ね構成されている。
【０００９】
［外枠］
前記外枠１は、木板を縦長長方形状に枠組みしてなる枠体５と、該枠体５の正面下部に固着した幕板６と、枠体５の上部と幕板６の上部にビス止めした前枠２装着用のヒンジ金具７ａ，７ａと、からなる。
【００１０】
［前枠］
前枠２は、合成樹脂製であって、前記幕板６を除く枠体５の前面に合致する大きさで中に広い窓穴８を設けた額縁形状をなし、一側上下部に固着したヒンジ金具７ｂ，７ｂと前記外枠１側のヒンジ金具７ａ，７ａによって外枠１前面に開閉可能な状態で取り付けられている。前枠２の非ヒンジ側の側端面（又は両側端面）と下端面には図８と図１１に示したように外枠１に向かって内寄りに傾く勾配のテーパ面２ａ，２ｂが形成されている。側端面のテーパ面２ａは、隣接するパチンコ機又は台間球貸機と前枠２が開閉動作のときに接触して損傷する不具合を無くする機能を果たす。一方、下端面のテーパ面２ｂは、前枠２を円滑に閉じるためのガイドとして機能する。すなわち、前枠２は、機構板４や遊技板３などの重みによって開放時に若干下がるため、テーパ面２ｂがないと前枠２を閉じるときにその下端が幕板６に激突して合成樹脂のコーナーが損傷するおそれがあるが、テーパ面２ｂがあれば幕板６上に前枠２が円滑に導かれるのである。なお、テーパ面２ｂの滑りを良くするため、該テーパ面２ｂは複数のテーパリブ９によって形成されている。
【００１１】
前枠２の上縁と左右の側縁には図１，図３，図１１などに示したように額縁状の補強リブ１０が突設されている。この補強リブ１０によって前枠２の剛性を高めると共に後述するガラス扉枠１１や前面板１２の側端面を覆って不正なこじ開けが行えないようにしてある。また、前枠２の下方ほぼ中央には、図３，図１０に示したように下球皿１３に連通する下皿口１４が開設されており、該下皿口１４に向けて球抜き排出通路１５とファール球排出通路１６がそれぞれ前後に位置を違えて並設されている。下皿口１４の後面には後述する景品球排出樋１７に連通する下部球受け１８がビス止めされており、該下部球受け１８の中間部分に前記ファール球排出通路１６から出たパチンコ球が落下し、また、下部球受け１８の前方部分に前記球抜き排出通路１５から出たパチンコ球が落下する。このように球抜き排出通路１５とファール球排出通路１６を前後に位置を違えて並設し、パチンコ球の落下点を一箇所に集中させないようにすることで、下部球受け１８に加わるパチンコ球の衝撃が分散するから下部球受け１８の耐久性を向上させることができると共に下部球受け１８における球流れを整然とさせることが可能になる。そしてさらに、下部球受け１８に、景品球排出樋１７から出たパチンコ球が当たる落下ポイントを金属板１９で覆う、という補強構造を施せば、パチンコ球の落下衝撃で下部球受け１８が損傷する、というような従来の問題点は確実に改善できる。
【００１２】
前記窓穴８の上縁と左右両側縁に、裏側に張り出す桟部材２０ａ，２０ｂ，２０ｃと、窓穴８下部に同じく裏側に張り出す下部遊技板２０ｄが、樹脂成型用型枠を用いての樹脂成型時に前枠２と一体成型されている。下部遊技板２０ｄは図３に示したようにコーナー飾り２１を一体に有し、さらに、図５に示したように前面に合成樹脂製のカバープレート２２をビスで別付けするようになっており、該カバープレート２２で前面を覆うことにより後述する遊技板３のアウト球通路２３に繋がる排出通路２４が作られる。カバープレート２２には発射レール２５と前面樋部材２６が形成されている。前面樋部材２６は図５と図６に示したようにカバープレート２２から一体に突設したファール樋２７と、該ファール樋２７の前面を覆う樋カバー２８とにより形成され、ファール樋２７の終端が前記前枠２のファール球排出通路１６に連通し、また、樋カバー２８の前面に設けた球抜き溝２９が球抜き排出通路１５に連通している。なお、前記アウト球用の排出通路２４は、機構板４の球回収ルート３０に連通している。
【００１３】
前記カバープレート２２には、前面樋部材２６のファール樋２７下部にスピーカ設置部３１が形成してあり、図９に示したようにそのスピーカ設置部３１に遊技用のスピーカ３２が取り付けてある。このスピーカ３２は前面板１２と上球皿３３の内部を貫く空洞の音響通路３４によって外部に繋がっている。このようにスピーカ３２を前面樋部材２６（下部遊技板２０ｄと言ってもよい。）に設置して上球皿３３の内部を空洞の音響通路３４とすることで、スピーカを上球皿に内蔵する従来技術に比べて、配線を簡略化すると共に上球皿３３の軽量化をも可能にした。なお、スピーカ３２のリード線は図６に示した前面樋部材２６の配線用スリット３５から下部遊技板２０ｄのコーナー部に設けた配線開口３６を通り、図２７に示したように機構板４の下側面に突設したコネクター３７から機構板４裏面の配線通路３８を通って該機構板４の背面に取り付けた制御装置３９に接続される。
【００１４】
ところで上記のように下部遊技板２０ｄを樹脂成型用型枠を用いての樹脂成型時に前枠２と一体成型し、さらに発射レール２５やファール樋２７などの部品を取り付けるカバープレート２２を別付けする特徴的な構成を採用すると、発射レール２５やファール樋２７などの部品の取付け作業を分業化することができるようになり、また、それらの部品の設計変更にも最小限のコストで対応可能であり、さらにパチンコ機を廃棄する場合の解体・分別が容易になる、などの効果がある。
【００１５】
［前枠−発射装置］
前枠２の下側隅角部にはパチンコ球を発射するための発射装置４０が取り付けられている。該発射装置４０は、前枠２の前面下方に配置する操作ハンドル４１と、前枠２の裏側に揺動可能に軸着した打球槌４２と、該打球槌４２を打球方向に付勢するスプリング４３と、一方向に定速回転する発射用のモータ４４と、該モータ４４の出力軸に固着されモータ４４の回転運動を打球槌の揺動運動に変換するカム（図示せず）と、操作ハンドル４１の回転軸４１Ｓに直結され該回転軸４１Ｓと一体となって回転することにより前記スプリング４３を伸縮させる調節プーリ（図７，図８に示した調節プーリ用のプーリボックス４５内に回動可能に内蔵されている。）と、から概略構成される。この発射装置４０は、打球槌４２、スプリング４３、モータ４４、プーリボックス４５などが一枚のセットプレート４６に組み付けられていて、そのセットプレート４６ごと前枠２の裏面にビス止めし、次ぎに操作ハンドル４１を前枠２の表側から装着して回転軸４１Ｓをプーリボックス４５内の調節プーリに差し込むものである。
【００１６】
前記操作ハンドル４１を所定の位置に設置するための取付基台４７は、樹脂成型用型枠を用いての樹脂成型時に前枠２と一体成型されており、該取付基台４７の軸筒部４７ａに操作ハンドル４１の基筒部４１Ｔを外嵌してボルト４８で締め付ける。
【００１７】
［前枠−ガラス扉枠］
前枠２の窓穴８には遊技板３に対応する前面にガラス扉枠１１がヒンジ金具７ｃ，７ｃで開閉可能に軸着されている。ガラス扉枠１１は図１１，図１９に示したように樹脂枠１１ａの裏面に金属板１１ｂを重ねた二重構造である。そして、金属板１１ｂの左右下側縁に図９に示したような溝形態のガラスホルダー１１ｃが形成されており、該ガラスホルダー１１ｃに、二枚のガラス板１１ｄ，１１ｄを合成樹脂製のフレーム１１ｅで一体化したガラスユニット１１ｘが嵌まっている。このガラスユニット１１ｘのフレーム１１ｅは前記樹脂枠１１ａと同系色になっている。これにより、樹脂枠１１ａとフレーム１１ｅが一体成型品であるかのごとく見えるからガラス扉枠１１の質感統一及びボリューム感アップに効果がある。
【００１８】
また、ガラス扉枠１１には後述する球抜装置４９を作動させるための球抜小孔１１ｆが形成されている。該球抜小孔１１ｆは図１９に示したように樹脂枠１１ａの裏面に突設した円筒体１１ｇの中心を通る。この円筒体１１ｇは、球抜きピン５０を前枠２の球抜孔２ｈに導くガイド機能と、樹脂枠１１ａに金属板１１ｂを重ねる際の位置決め機能とを発揮する。このようにガラス扉枠１１に前枠２の球抜孔２ｈと連通可能な位置に球抜小孔１１ｆを設けた構成を採用することで、前枠２の幅一杯にまで横幅を広げたワイドサイズのガラス扉枠１１を使ったパチンコ機でもガラス扉枠１１を閉じたまま球抜きができる効果を発揮する。因に、前枠２の球抜孔２ｈは球抜装置４９との関連により位置がほぼ決まっているため、ワイドサイズのガラス扉枠１１を使用するとその球抜孔２ｈが塞がれてしまうから、球抜き操作の度に一々ガラス扉枠１１を開かなければならない煩わしさがあった。
【００１９】
さらに、ガラス扉枠１１の下縁には図９に示したように前記前枠２下縁のテーパ面２ｂ及びテーパリブ９と同じ目的・効果のガイドリブ１１ｈが設けられている。また、ガラス扉枠１１の上部には装飾用のランプカバー１１ｊが取り付けられている。このランプカバー１１ｊの内側を、前枠２上部に設けた照明孔２ｃ（図３，図４参照）からランプ（図示せず）で照らすことによりランプカバー１１ｊが明るく光る。なお、ガラス扉枠１１の両サイドも同様の構造で発光させることができる。
【００２０】
［前枠−前面板］
前枠２の窓穴８の下部遊技板２０ｄに対応する前面に前面板１２がヒンジ金具７ｄ，７ｄで開閉可能に軸着されている。前面板１２は図８〜図１０に示したように合成樹脂製の球皿パネル１２ａと金属製の裏パネル１２ｂの重合構造である。球皿パネル１２ａには上球皿３３が装着されており、図１０に示したように上球皿３３の内部に設けた球抜き樋５１の終端が前記下部遊技板２０ｄ側の球抜き溝２９に対向する。一方、裏パネル１２ｂには、上端に曲げ返し部１２ｃが形成されており、該曲げ返し部１２ｃにガラス扉枠１１の下縁が嵌まる。なお、ガラス扉枠１１の下縁には前記のように合成樹脂製のガイドリブ１１ｈが形成されているから、金属製の曲げ返し部１２ｃの上を滑らかに滑る。従って、ガラス扉枠１１の開閉がスムーズに行える。
【００２１】
［前枠−装飾パネル］
前枠２の窓穴８より下の部分には下球皿１３を有する合成樹脂製の装飾パネル５２が取り付けられている。該装飾パネル５２には裏面両側に鍵状の弾性フック片（図示せず）が突設されていて、該弾性フック片を図３，図４に示した前枠２の受孔２ｄに嵌合させる取付構造になっている。この装飾パネル５２の上端には前記前面板１２の下縁と対向するように不正防止用の当たり片５２ａが突設されており、該当たり片５２ａによって前面板１２の内側へ異物が差し込まれないようにしてある。なお、従来、このような不正防止用の当たり片は、窓穴８の周囲を囲う金枠に設けられていたため、部品コスト、組立コストが高い、などの問題点があったが、装飾パネル５２に当たり片５２ａを設ければそのような問題の解消に効果がある。
【００２２】
［遊技板］
遊技板３はベニヤ板の表に合成樹脂シートを貼った周知構造であって、前記前枠２の桟部材２０ａ，２０ｂ，２０ｃと下部遊技板２０ｄによって支持される。遊技板３の前面には図１に示したように、ガイドレール５３で円形に囲われた遊技領域３ｚが形成されていて、該遊技領域３ｚに入賞装置５５、障害釘５６、風車５７、アウト球口５８などが設けられている。一方、遊技板３の裏面には、図１６に示したように入賞球集合カバー５４が遊技領域３ｚの裏側をほぼカバーするように対向設置されており、入賞装置５５などから入賞したパチンコ球が下に集まるようになっている。また、前記アウト球口５８の裏側は、図２８に示したように遊技板３の下端に至る溝状のアウト球通路２３になっている。従来、このアウト球通路２３は、遊技板３の裏面に金属板を貼り付けて塞ぐようにしていたが、それでは金属板を貼り付ける工程が面倒であるため、後述するように機構板４側の一部品である通路側板５９で塞ぐように工夫してある。
【００２３】
［機構板］
前枠２の裏側には遊技板３と下部遊技板２０ｄのほぼ全体をカバーする大きさの機構板４が前枠２側のヒンジ金具７ｅ，７ｅと機構板４側のヒンジ金具７ｆ，７ｆで開閉可能に軸着されている。該機構板４は、景品球の流れ順に上から、球タンク６０、導出樋６１、カーブ樋ユニット６２、景品球放出装置６３、景品球排出樋１７を有し、また、入賞球の流れ順に入賞球集合樋６４、入賞球処理装置６５を有し、その他に制御装置３９や配線通路３８などを有する。
【００２４】
［機構板−球タンク］
球タンク６０は、上が広く開口し、底の傾斜下端に球出口を開設した箱型形態である。該球タンク６０は、両側端に取付片６６ａ，６６ｂを一体に有し、図１２〜図１４に示したように一方の取付片６６ａが機構板４の固定ポケット６７に嵌まり、他方の取付片６６ｂが機構板４にビス６８で固着されている。ここで明らかなようにこの球タンク６０は、一方の取付片６６ｂだけをビス止めする構造であるから取付作業効率が従来に比べて良い。また、機構板４には球タンク６０の上面との接触箇所に複数の突起６９が形成してあって球タンク６０と点接触するようにしてある。前記のようにこの球タンク６０は、ビス止め箇所を減少させるようにしたものであるから、球タンク６０と機構板４の間に遊びがあると有害な”がたつき”の原因になる。そこで、球タンク６０と機構板４の間に突起６９を介在させれば、位置決めの最終調整を突起６９の加減ですることができるため、高い取付精度に仕上げられるのである。また、周知のように球タンク６０の底には図示しないが球検知用の揺動板が軸着されており、該揺動板の動きによってＯＮ・ＯＦＦするマイクロスイッチＳＷ１が図１５のように設けられている。このマイクロスイッチＳＷ１のリード線７０を体裁良く通すための配線通路７１が球タンク６０の上に設けられている。
【００２５】
［機構板−導出樋］
導出樋６１は球タンク６０のパチンコ球を二列にして下に導くもので、機構板４にビス７２，７２…で固着されている。該導出樋６１は流下端を止めるビス７２を中心にして傾斜角度の調節が可能なように、上流端側のビス孔６１ｈと球均し７３に対応する軸孔７３ｈが長孔になっている。導出樋６１の傾斜角度の調節は、汚れの付着などでパチンコ球が流れ難くなった場合や、流れが速すぎる場合などに行う。また、導出樋６１の底には一方の立壁沿いにゴミ落とし溝７４が形成してある。従来のゴミ落とし溝は、底の中心線上に設けられていたからパチンコ球が常にゴミ落とし溝の上を一直線に並ぶ。従って、ゴミ落とし溝７４の摩耗が激しくて導出樋６１の傷みが速く、しかも上流から下流に向かって球圧が真っ直ぐ作用するから導出樋６１内で著しく球圧が増加する不具合があった。これに対して前記のようにゴミ落とし溝７４を一方の立壁沿いに設ければ、パチンコ球がゴミ落とし溝７４に嵌まり込まないため、導出樋６１内で一直線に並ぶことがなくなり、摩耗による傷みや球圧の増加が軽減される。
【００２６】
［機構板−カーブ樋ユニット］
カーブ樋ユニット６２は導出樋６１の流下端に接続するもので、カーブ樋７５と球切れ検知装置７６と球抜装置４９が一体化されている。カーブ樋７５は図１７，図２０，図２２に示すようにベース体７５ａ，カバー体７５ｂ，仕切板７５ｃの三部材で形成され、図２０に示したようにベース体７５ａに突設したフック片７７をカバー体７５ｂの孔７８に係合させる結合構造である。
【００２７】
また、球切れ検知装置７６は、カーブ樋７５の第一カーブに設けた揺動自在なアーチ形受圧片７９と、該アーチ形受圧片７９の外側凸部８０にアクチュエータ片８１を接触させたマイクロスイッチＳＷ２とからなる。このアーチ形受圧片７９とマイクロスイッチＳＷ２は二列の球通路に対応して二組づつ設けられている。アーチ形受圧片７９は自己の重量バランスとアクチュエータ片８１の弾性により図１８中時計回りに付勢されており、パチンコ球の有無により図１８実線と二点鎖線のように揺動してマイクロスイッチＳＷ２の接点を開閉する。このマイクロスイッチＳＷ２の信号により球切れが検知できる。而して、前記二個のマイクロスイッチＳＷ２は図１７に示したように一個のケース体８２の枠内に一体に嵌め込まれており、該ケース体８２ごとカーブ樋ユニット６２に着脱する。ケース体８２はその上下に突設したネジ受け片８２ａにネジ８３を通してカーブ樋ユニット６２に固定するようになっており、カーブ樋ユニット６２に対し引き出し式に出し入れできる。従って、初期の組付けはもちろん、修理などのメンテナンスも容易である。
【００２８】
球抜装置４９は、図１７，図１８に示したように、第一カーブの終端に開口する球抜口８４と、球抜口８４の下方に開口する機構板用球抜樋８５と、球抜口８４を開閉すると共に機構板用球抜樋８５にパチンコ球を導く揺動自在な可動底板８６と、可動底板８６を固定するロック部材８７と、ロック部材８７の姿勢を制御する押動板８８とからなる。可動底板８６は、正面視ほぼ「へ」の字形態であって、中心の屈曲点に円筒部８６ａを配し、該円筒部８６ａにパチンコ球を載せる腕板８６ｂと前記ロック部材８７に係合する脚板８６ｃを一体に突設し、さらに円筒部８６ａに挿通した軸８６ｄを中心に揺動する。なお、可動底板８６の脚板８６ｃ下端にはバランスウェイト８６ｅが一体に形成されていて、自由状態で図１８の実線姿勢に回動するようバランスされている。
【００２９】
ロック部材８７は、一方の端部に軸ピン８７ａを一体に突設し、他方の端部に、前記可動底板８６の脚板８６ｃに係合する上向凸部８７ｂと押動板８８に係合する長孔８７ｃを設けたものであり、ベース体７５ａとカバー体７５ｂの間に揺動自在に軸承されている。
【００３０】
前記可動底板８６の軸８６ｄ及びロック部材８７の軸ピン８７ａを支承するカーブ樋ユニット６２の軸受構造は、図２３に示したように、軸受凹部８９の回りにＵ字状の透かし溝９０を形成すると共に図２２に示したように軸受凹部８９に通じるガイド溝９１を設けたことを特徴とし、前記ベース体７５ａ，カバー体７５ｂ，仕切板７５ｃの三部材をフック片７７で接合して組み立てた後でも可動底板８６及びロック部材８７を着脱することができるようにしたものである。すなわち、軸ピン８７ａ（軸８６ｄ）をガイド溝９１に嵌めて軸受凹部８９方向に強制スライドさせると、前記透かし溝９０により片持ち梁状になった軸受凹部８９が撓んで外方に逃げ、軸ピン８７ａ（軸８６ｄ）が軸受凹部８９に至ると弾性で戻るのである。従って、ベース体７５ａ、カバー体７５ｂ、仕切板７５ｃを合体させるときに可動底板８６の軸８６ｄやロック部材８７の軸ピン８７ａの位置合わせを同時に行わなければならない煩わしさがない。また、可動底板８６及びロック部材８７を軸受凹部８９から外す場合も同様に透かし溝９０による弾性を利用すれば、一々ベース体７５ａとカバー体７５ｂを分離させる必要がない。この軸受構造は、他の部品の軸受構造としても適用できる。
【００３１】
押動板８８は、ベース体７５ａと一体の固定軸９２に揺動自在に軸着されており、該固定軸９２に遊嵌する丸パイプ部８８ａと、丸パイプ部８８ａから下向き斜め前方に突設した弾性片８８ｂと、丸パイプ部８８ａから上向突出して前記前枠２の球抜孔２ｈに対向する押圧舌片８８ｃと、押圧舌片８８ｃに突設され前記ロック部材８７の長孔８７ｃに係合する作動軸８８ｄと、から構成される。前記弾性片８８ｂは、カバー体７５ｂから延設したバネ受け片９３に撓み状態で受け止められており、その復元力で押圧舌片８８ｃを起立方向に付勢する。押圧舌片８８ｃは図１９実線の起立姿勢にあるとき、作動軸８８ｄによってロック部材８７を図１７，図１８のほぼ水平姿勢に保持し、また、図１９二点鎖線のように球抜きピン５０によって押されて前傾姿勢に転じたとき、作動軸８８ｄによってロック部材８７を図１８において時計回りに下動させる。なお、押動板８８はベース体７５ａと一体の二つのストッパー９４ａ，９４ｂにより揺動範囲が規制されている。
【００３２】
ところで上記押動板８８と固定軸９２には、従来の抜け止めリングを不要にした簡易接合構造が採用されている。すなわち、固定軸９２には図２１に示したようにほぼ半外周（全周も可）に周溝９５を形成し、一方、押動板８８の丸パイプ部８８ａに、鋸刃状の内向き爪８８ｅを突設した弾性係合片８８ｆを形成し、押動板８８の丸パイプ部８８ａを固定軸９２に強制嵌合させて内向き爪８８ｅと周溝９５を係合させるようにしたものである。丸パイプ部８８ａの内向き爪８８ｅは鋸刃状であるため、爪の傾斜に沿って簡単に周溝９５に嵌まるが一旦係合すると容易に外れない。そこで、押動板８８を固定軸９２から外す必要が生じたときのために、弾性係合片８８ｆの先端に摘み部８８ｇを延設し、該摘み部８８ｇで弾性係合片８８ｆを外側に曲げて内向き爪８８ｅを周溝９５から浮かせ得るようにしてある。
【００３３】
球抜装置４９は以上のように構成されているため、球抜きピン５０を図１９二点鎖線のようにガラス扉枠１１の球抜小孔１１ｆから差し込むと、その先端で押動板８８の押圧舌片８８ｃが押されて前傾し、それに連動してロック部材８７が図１８において右下がりに下動して可動底板８６の拘束を解き、その結果、腕板８６ｂに加わる球圧で可動底板８６が図１８二点鎖線のように回動し、球抜口８４より上流にある全てのパチンコ球が機構板用球抜樋８５に流れ込む。そして、球抜き完了後に球抜きピン５０をもう一度球抜小孔１１ｆに差し込むと、前記と同様にロック部材８７が下動するから可動底板８６が自重で回動して通常の状態に戻る。
【００３４】
［機構板−景品球放出装置］
前記景品球放出装置６３は、カーブ樋ユニット６２からパチンコ球の供給を受け、内蔵モータ９６（図２参照）の回転でパチンコ球を一個単位で放出し得る。この景品球放出装置６３は公知の既製品を使用しているため詳細な説明を省略する。
【００３５】
［機構板−景品球排出樋］
景品球排出樋１７は、景品球放出装置６３から払い出される景品球を前記上球皿３３に導き、さらに上球皿３３から溢れた景品球を下球皿１３に導くものである。この景品球排出樋１７の終端部には図２４に示したように景品球の過量を検知する過量防止センサー９７が設けられている。該過量防止センサー９７は、球圧により揺動する球受板９７ａと、該球受板９７ａの作動腕９７ｂにアクチュエータ片９８を接触させたマイクロスイッチＳＷ３とからなる。そして、景品球排出樋１７にパチンコ球が溜まり過ぎると球受板９７ａに球圧が作用して作動腕９７ｂがアクチュエータ片９８を押圧し、マイクロスイッチＳＷ３から過量信号が発せられる。この過量信号が発せられている状態ではパチンコ機が一時的に機能停止する。なお、前記球受板９７ａは、自己の重量バランスとマイクロスイッチＳＷ３のアクチュエータ片９８の弾性力で図２４実線の通常位置に停止している。また、作動腕９７ｂのマイクロスイッチＳＷ３側の端部には機構板４に開設した遊動孔９９に臨む軸（図示せず）が延設されている。
【００３６】
［機構板−入賞球集合樋］
次ぎに入賞球の流れ順に入賞球集合樋６４と入賞球処理装置６５を説明する。前記遊技領域３ｚで入賞したパチンコ球は、入賞球として一旦入賞球集合カバー５４に集められ、そこから機構板４側の入賞球集合樋６４に流れる。この入賞球集合樋６４には、図２８に示したように遊技板３と接する側に従来から通路側板５９が取り付けられているが、従来の通路側板５９は単に入賞球を円滑に流下させるものでしかない。しかし、ここで採用した通路側板５９には、図２９に示したように前記アウト球通路２３を覆う溝カバー５９ａが一体に設けられていて、これまでアウト球通路２３を形成するために遊技板３に別途打ち付けていた金属製の板を不要にする新たな機能が付加されている。なお、図２９中符号１００は通路側板５９の溝カバー５９ａに設けた縦リブであり、パチンコ球の流れを長期間スムーズに維持するためのものである。
【００３７】
［機構板−入賞球処理装置］
入賞球処理装置６５は、入賞球を電気的に検知するためのものであって、図２５に示したように前記入賞球集合樋６４の終端に連通し且つコ字状に屈曲して球回収ルート３０に連通するコ字状通路６５ａと、該コ字状通路６５ａの垂直部分にあって入賞球の通過を検知する通過スイッチＳＷ４と、同じくコ字状通路６５ａの垂直部分に作用して入賞球の流れを一個づつに制御する球切り部材６５ｂと、該球切り部材６５ｂを揺動させるソレノイド６５ｃと、からなり、これら全部品を一枚の基板６５ｄに組み込んでユニット化したものである。なお、基板６５ｄの裏側には、図２６に示したように不正防止と後述する静電気対策のために導電金属板６５ｅがビス止めされている。
【００３８】
コ字状通路６５ａに対応する基板６５ｄには通過スイッチＳＷ４に至る前の領域に透孔１０１が穿設してあり、図２６に示したように該透孔１０１に導電金属板６５ｅを切り起こした爪１０２が臨んでいる。この爪１０２の前を入賞球が通過すると、該入賞球に帯電している静電気が導電金属板６５ｅを介して放電されるため、そのような静電気に起因するノイズなどの弊害が防止できる。
【００３９】
コ字状通路６５ａの垂直部分に作用する球切り部材６５ｂは、図２５に示したように、基板６５ｄに揺動自在に軸着した揺動主板６５ｆと、該揺動主板６５ｆが図２５一点鎖線の起立状態にあるとき通過スイッチＳＷ４の直下に位置してコ字状通路６５ａを塞ぎ揺動主板６５ｆがソレノイド６５ｃの作動で傾動したとき通過スイッチＳＷ４の直下から退いてコ字状通路６５ａを開く第一球止め片６５ｇと、同じく揺動主板６５ｆが起立状態にあるときコ字状通路６５ａの外に位置し揺動主板６５ｆがソレノイド６５ｃの作動で傾動したとき通過スイッチＳＷ４の真上に位置する第二球止め片６５ｈと、からなり、この第一球止め片６５ｇと第二球止め片６５ｈでコ字状通路６５ａを交互に開閉して入賞球を一個づつ確実に通過スイッチＳＷ４に流下させる。
【００４０】
なお、入賞球処理装置６５は、図９に示したようにカバー１０３で覆うようになし、該カバー１０３に開閉蓋１０４を設けて球詰まりなどのトラブルに対応するようにしてある。この開閉蓋１０４は、係合片１０４ａの途中に横Ｕ字状に一体成型した弾性摘み１０４ｂを設け、その弾性摘み１０４ｂの弾性でカバー１０３と係合片１０４ａを係合させ、また、弾性摘み１０４ｂを摘むことによってカバー１０３と係合片１０４ａの係合を解除するようにしたものである。
【００４１】
［機構板−その他］
その他、機構板４には図２に示したように制御装置３９と、図２７に示したように主としてこの制御装置３９のリード線１０５を通すための配線通路３８などが設けられている。制御装置３９の取付構造は、前記球タンク６０と同一方式であって、図２に示したように一方の側縁に取付片１０６ａを突設し、該取付片１０６ａを機構板４側の固定ポケット６７に嵌め、他方の取付片１０６ｂをビス１０７で機構板４に固定するようにしたものである。このように部品の一方を機構板４の固定ポケット６７に嵌めて拘束し、他方をビス止めして全体を固定する取付構造は、例えば図１９に示したように機構板４のヒンジ金具７ｆ，７ｆにも応用されているのであって、パチンコ部品の取付構造として汎用性がある。また、前記配線通路３８は、図２７に示したように機構板４の裏側、すなわち機構板４の遊技板３と接する側に設けられており、前記制御装置３９の近傍に開口部１０８があってそこからリード線１０５が配線通路３８内に導かれる。このリード線１０５の一部は前記したように機構板４の下側面に突設したコネクター３７に接続されており、下部遊技板２０ｄのコーナー部に設けた配線開口３６を介してスピーカ３２などと接続される。
【符号の説明】
【００４２】
１  …外枠
２  …前枠
２ａ…テーパ面
３  …遊技板
３ｚ…遊技領域
７ａ…ヒンジ金具（ヒンジ）
７ｂ…ヒンジ金具（ヒンジ）
１０…補強リブ
１１…ガラス扉枠（扉枠）
１１ａ…樹脂枠
１１ｂ…金属板
１１ｃ…ガラスホルダー
１１ｄ…ガラス板（ガラス）
１１ｅ…フレーム
１１ｘ…ガラスユニット
５５…入賞装置
５６…障害釘
【図１】
0004591600.tif 000002
【図２】
0004591600.tif 000003
【図３】
0004591600.tif 000004
【図４】
0004591600.tif 000005
【図５】
0004591600.tif 000006
【図６】
0004591600.tif 000007
【図７】
0004591600.tif 000008
【図８】
0004591600.tif 000009
【図９】
0004591600.tif 000010
【図１０】
0004591600.tif 000011
【図１１】
0004591600.tif 000012
【図１２】
0004591600.tif 000013
【図１３】
0004591600.tif 000014
【図１４】
0004591600.tif 000015
【図１５】
0004591600.tif 000016
【図１６】
0004591600.tif 000017
【図１７】
0004591600.tif 000018
【図１８】
0004591600.tif 000019
【図１９】
0004591600.tif 000020
【図２０】
0004591600.tif 000021
【図２１】
0004591600.tif 000022
【図２２】
0004591600.tif 000023
【図２３】
0004591600.tif 000024
【図２４】
0004591600.tif 000025
【図２５】
0004591600.tif 000026
【図２６】
0004591600.tif 000027
【図２７】
0004591600.tif 000028
【図２８】
0004591600.tif 000029
【図２９】
0004591600.tif 000030